(57)【要約】    【課題】把手が邪魔にならず、使い勝手の良い釣用バッグの提供。    【解決手段】この釣用バッグ１０は、略直方体状に形成されたバッグ本体１１と、一対の把手１２、１３と、肩掛ベルト２８とを備えている。バッグ本体１１には、サイドポケット１８及び蓋１５が設けられており、蓋１５は、バッグ本体１１に対して開閉自在となっている。把手１３は、把手１２と対称に配置され、バッグ本体１１の上方で把手１２とＸ字状に交差している。把手１３には、把手１２と把手１３とを束ねるベルト３２が取り付けられている。【選択図】図１
2005261262.tif 000002
【特許請求の範囲】
【請求項１】
略直方体状に形成され、上部に開閉自在な蓋が設けられたバッグ本体と、
バッグ本体の一の壁面と当該一の壁面の背面側に位置する他の壁面との間に架け渡された一対の紐状把手とを備え、
当該一対の紐状把手は、互いに交差するようにＸ字状に配置されている釣用バッグ。
【請求項２】
上記一対の紐状把手のいずれか一方に、当該一対の紐状把手が交差する部位を束ねるベルトが取り付けられている請求項１に記載の釣用バッグ。
【発明の詳細な説明】
【技術分野】
【０００１】
本発明は、釣り道具等を収納するためのバッグの構造に関するものである。
【背景技術】
【０００２】
図４は、従来の釣用バッグの外観斜視図である。
同図が示すように、従来の一般的な釣用バッグ１は、内部にタックル収容室が区画された本体２と、本体２に設けられた把手３、４及び肩掛ベルト５とを備えている。把手３又は把手４には、通常、これらを束ねるベルト６が設けられている。釣人は、このベルト６を用いて両把手３、４を束ねることによって、簡単に釣用バッグ１を持ち運ぶことができる。本体２には蓋７が設けられており、蓋７は、スライドファスナー８が操作されることによって開閉される。なお、本体２には、サイドポケット８が設けられている。サイドポケット７には、実釣時に使用される小道具等が収容される（例えば、非特許文献１参照）。
【０００３】
【非特許文献１】株式会社シマノ  ２００３  Fishing Tackle Catalogue（第１８１頁）
【発明の開示】
【発明が解決しようとする課題】
【０００４】
把手３はひも状に形成されており、その両端は、本体２の前面上部に所定のスパンで固定されている。同様に、把手４は、本体２の後面上部に固定されている。釣人は、釣り場に到着したときには、この釣用バッグ１から必要な道具を取り出すが、そのときに把手３、４は、矢印９の方向に回動される。すなわち、把手３は、釣用バッグ１の前面側に倒伏され、把手４は、釣用バッグ１の後面側に倒伏される。
【０００５】
ところで、通常、釣人は、釣用バッグ１の前方側から又は後方側からスライドファスナー７を操作する。このため、把手３、４がそれぞれ釣用バッグ１の前面側及び後面側に倒伏されると、釣人にとって、スライドファスナー７を操作する際に邪魔になる。
【０００６】
そこで、本発明の目的は、把手が邪魔にならず、使い勝手の良い釣用バッグを提供することである。
【課題を解決するための手段】
【０００７】
上記目的が達成されるため、本発明に係る釣用バッグは、略直方体状に形成され、上部に開閉自在な蓋が設けられたバッグ本体と、バッグ本体の一の壁面と当該一の壁面の背面側に位置する他の壁面との間に架け渡された一対の紐状把手とを備え、当該一対の紐状把手は、互いに交差するようにＸ字状に配置されていることを特徴とするものである。
【０００８】
この構成によれば、各紐状把手は、常時においてバッグ本体の上方で交差するので、釣人が紐状把手を把持する際に、予め両紐状把手を束ねる作業が不要である。また、各紐状把手は、バッグ本体の上方でＸ字状に配置されることから、各紐状把手がその両端部を中心に回動されたときには、バッグ本体の対角線上に互いに離反することになる。したがって、釣人がバッグ本体の蓋を開閉する際に紐状把手が邪魔になることはなく、さらに、バッグ本体の一の壁面又は他の壁面にサイドポケットが設けられていた場合に、釣人がこのサイドポケットを開閉する際に紐状把手が邪魔になることはない。
【０００９】
また、上記一対の紐状把手のいずれか一方に、当該一対の紐状把手が交差する部位を束ねるベルトが取り付けられていてもよい。このベルトが取り付けられることにより、両紐状把手が確実に束ねられる。したがって、釣人は、紐状把手を一層容易に且つ確実に把持することができる。
【発明の効果】
【００１０】
本発明によれば、一対の紐状把手がＸ字状に配置されることにより、釣人がバッグ本体の蓋を開閉する際、及びサイドポケットを開閉する際に、当該紐状把手が邪魔になることはなく、よって、釣用バッグの使い勝手が非常に良くなる。
【発明を実施するための最良の形態】
【００１１】
以下、適宜図面が参照されつつ、好ましい実施形態に基づいて本発明が詳細に説明される。
【００１２】
図１は、本発明の第１の実施形態に係る釣用バッグの外観斜視図である。
この釣用バッグ１０は、バッグ本体１１と、一対の把手１２、１３と、肩掛ベルト２８とを備えている。把手１２、１３は、それぞれ、バッグ本体１１の前面部１７（一の壁面）及び後面部（他の壁面）に架け渡されるように取り付けられている。肩掛ベルト２８は、バッグ本体１１の両側面に架け渡されている。釣人は、この把手１２、１３を把持することによって、又は、肩掛ベルト２８を肩に掛けることによって、当該釣用バッグ１０を持ち運びすることができる。
【００１３】
バッグ本体１１は、ケース１４と蓋１５とを備えており、両者は、スライドファスナー１６によって連結されている。したがって、蓋１５は、ケース１４に対して開閉自在となっている。ケース１４は、内部に収容室が区画されており、釣人は、所要の釣り道具等をケース１４に収容することができる。なお、ケース１４及び蓋１５は、例えば樹脂（典型的には、エチレン酢酸ビニル共重合体（ＥＶＡ）、ポリエチレン（ＰＥ）、ポリ塩化ビニル（ＰＶＣ）ポリウレタン（ＰＵ）、ナイロン）により構成される。
【００１４】
バッグ本体１１の前面部１７には、サイドポケット１８が設けられている。このサイドポケット１８も例えば樹脂により構成される。サイドポケット１８は、例えばスライドファスナーを備えており、開閉自在となっている。また、バッグ本体１１の前面部１７には、防水カバー２２が取り付けられている。この防水カバー２２は、例えばゴムや樹脂（典型的には、エチレン酢酸ビニル共重合体（ＥＶＡ）、ポリ塩化ビニル（ＰＶＣ））から構成される。本実施形態では、防水カバー２２は、同図が示すようにアングル状に形成されている。具体的には、防水カバー２２は、上記前面部１７に片持ち状に連結された基部２３と、基部２３に略直交するように延設された延設部２４とを有する。基部２３は、上記前面部１７から外方へ突出しており、サイドポケット１８の上面を覆っている。延設部２４は、上記前面部１７に沿って下方へ延びており、サイドポケット１８の前面上部を覆っている。
【００１５】
防水カバー２２は、サイドポケット１８の上面及び前面を覆い、サイドポケット１８のスライドファスナー部分からの水の侵入を防ぐ。防水カバー２２の防水機能が確実に奏されるために、例えば、防水カバー２２を構成する材料の肉厚寸法が３ｍｍ〜２０ｍｍに設定される。これにより、防水カバー２２は、一定の剛性を有し、サイドポケット１８を確実に覆う。なお、防水カバー２２は、例えば面ファスナーによって、上記延設部２４がサイドポケット１８の前面に着脱自在に保持されていてもよい。
【００１６】
把手１２は、紐状に形成されている。この把手１２は、例えばエチレン酢酸ビニル共重合体（ＥＶＡ）、ポリ塩化ビニル（ＰＶＣ）、ポリエチレン（ＰＥ）等から構成され、十分な引張強度を備えている。把手１２の一端部２９は、上記ケース１４の前面１７に固定されている。具体的には、当該前面１７の上部であって、側面３０側に取り付けられている。把手１２の他端部は、上記ケース１４の後面に固定されている。具体的には、当該後面の上部であって、側面３０と対向する側面側に取り付けられている。
【００１７】
把手１３は、把手１２と同様の構成であり、把手１２と対称に取り付けられている。把手１３の一端部３１は、上記ケース１４の前面１７に固定されている。具体的には、当該前面１７の上部であって、側面３０と対向する側面側に取り付けられている。把手１３の他端部は、上記ケース１４の後面に固定されている。具体的には、当該後面の上部であって、上記側面３０側に取り付けられている。
【００１８】
したがって、両把手１２、１３は、バッグ本体１１の上方でＸ字状に交差するように配置される。また、本実施形態では、把手１３の中央部、すなわち、把手１２と交差する部位にベルト３２が設けられている。このベルト３２は、面ファスナー３３を備えており、環状に形成され得る。つまり、このベルト３２によって、両把手１２、１３が確実に束ねられるようになっている。なお、このベルト３２は、把手１２に取り付けられていてもよい。
【００１９】
この釣用バッグ１０では、各把手１２、１３は、常時においてバッグ本体１１の上方で交差しているので、釣人が把手１２、１３を把持する際に予め両把手１２、１３を束ねる作業が不要であり、釣人にとって、釣用バッグ１０の持ち運びが便利である。しかも、図２が示すように、上記ベルト３２が取り付けられているので、両把手１２、１３が確実に束ねられる。したがって、釣人は、把手１２、１３を一層容易に且つ確実に把持することができるという利点がある。
【００２０】
図３は、上記各把手１２、１３が倒伏された状態を示す釣用バッグ１０の外観斜視図である。
各把手１２、１３は、バッグ本体１１の上方でＸ字状に配置されることから、各把手１２、１３がその両端部を中心に回動されたときには、同図が示すように、バッグ本体１１の対角線上に互いに離反することになる。したがって、釣人がバッグ本体１１の蓋１５を開閉する際に把手１２、１３が邪魔になることはない。さらに、釣人がサイドポケット１８を開閉する際にも、把手１２、１３が邪魔になることはない。
【００２１】
このように、本実施形態に係る釣用バッグ１０では、把手１２、１３がＸ字状に配置されることにより、釣人が上記蓋１５を開閉する際及びサイドポケット１８を開閉する際に、把手１２、１３が邪魔になることはなく、よって、釣人にとって非常に使い勝手が良い。
【００２２】
なお、本実施形態では、各把手１２、１３の両端部は、上記ケース１４の前面１７及び後面に固定されているが、回動自在に連結されていてもよい。この場合には、釣人は、把手１２、１３を図３が示すように互いに離反させる作業がより一層簡単になる。
【産業上の利用可能性】
【００２３】
本発明は、釣りの際に使用される釣用バッグに適用され得る。
【図面の簡単な説明】
【００２４】
【図１】図１は、本発明の一実施形態に係る釣用バッグの外観斜視図である。
【図２】図２は、本発明の一実施形態に係る釣用バッグの外観斜視図であって、各把手がベルトによって束ねらえた状態を示している。
【図３】図３は、本発明の一実施形態に係る釣用バッグの外観斜視図であって、各把手が倒伏された状態を示している。
【図４】図４は、従来の釣用バッグの外観斜視図である。
【符号の説明】
【００２５】
１０・・・釣用バッグ
１１・・・バッグ本体
１２・・・把手
１３・・・把手
１４・・・ケース
１５・・・蓋
１６・・・スライドファスナー
１７・・・前面
１８・・・サイドポケット
２８・・・肩掛ベルト
２９・・・一端部
３０・・・側面
３１・・・一端部
３２・・・ベルト
３３・・・面ファスナー
【図１】
2005261262.tif 000003
【図２】
2005261262.tif 000004
【図３】
2005261262.tif 000005
【図４】
2005261262.tif 000006